(57)【特許請求の範囲】
【請求項１】
配信側ＩＰネットワークに接続された複数の監視カメラより配信される映像情報をＵＤＰユニキャストによりＵＤＰユニキャストＩＰアドレスと共にパケットデータとして受信するためのユニキャストネットワークインタフェースと、データ変換の要否を決定するための少なくとも送信先ポート番号を含む変換キー情報と前記ＵＤＰユニキャストＩＰアドレスより構成される変換ルールを保持する変換テーブルと、前記変換テーブルを参照して前記ＵＤＰユニキャストＩＰアドレスを含むパケットデータを変換するべきか否かを判定する変換判定部と、前記変換判定部の判定結果に基づき前記ＵＤＰユニキャストＩＰアドレスを含むパケットデータをＵＤＰマルチキャストパケットデータに変換する変換部と、受信端末が接続される端末側ＩＰネットワークに接続して変換された前記ＵＤＰマルチキャストパケットデータをＵＤＰマルチキャストを用いて配信するマルチキャストネットワークインタフェースとを備え、前記配信側ＩＰネットワークから前記ＵＤＰユニキャストにより受信される前記パケットデータを、前記変換テーブルに設定された前記変換ルールに基づいて前記ＵＤＰマルチキャストパケットデータに変換して、前記端末側ＩＰネットワークに配信することを特徴とするユニキャスト−マルチキャスト変換装置。
【請求項２】
前記変換キー情報として前記送信先ポート番号および送信元ＩＰアドレスを用いることを特徴とする請求項１に記載のユニキャスト−マルチキャスト変換装置。
【請求項３】
配信側ＩＰネットワークに接続された複数の監視カメラより配信される映像情報をＵＤＰユニキャストによりＵＤＰユニキャストＩＰアドレスと共にパケットデータとして受信するためのユニキャストネットワークインタフェースと、データ変換の要否を決定するための少なくとも送信先ポート番号を含む変換キー情報と前記ＵＤＰユニキャストＩＰアドレスより構成される変換ルールを保持する変換テーブルと、前記変換テーブルを参照して前記ＵＤＰユニキャストＩＰアドレスを含むパケットデータを変換するべきか否かを判定する変換判定部と、前記変換判定部の判定結果に基づき前記ＵＤＰユニキャストＩＰアドレスを含むパケットデータをＵＤＰマルチキャストパケットデータに変換する変換部と、受信端末が接続される端末側ＩＰネットワークに接続して変換された前記ＵＤＰマルチキャストパケットデータをＵＤＰマルチキャストを用いて配信するマルチキャストネットワークインタフェースとを備え、前記配信側ＩＰネットワークから前記ＵＤＰユニキャストにより受信される前記パケットデータを、前記変換テーブルに設定された前記変換ルールに基づいて前記ＵＤＰマルチキャストパケットデータに変換して、前記端末側ＩＰネットワークに配信するユニキャスト−マルチキャスト変換装置を有し、複数の監視カメラをスイッチングハブにより接続したカメラ側ＩＰネットワークを前記ユニキャストネットワークインタフェースに接続するとともに、複数の表示端末をスイッチングハブにより接続した端末側ＩＰネットワークを前記マルチキャストネットワークインタフェースに接続して、前記カメラ側ＩＰネットワークと前記端末側ＩＰネットワークとを前記ユニキャスト−マルチキャスト変換装置により中継接続することによって、前記カメラ側ＩＰネットワークから前記ＵＤＰユニキャストにより受信される監視映像を、前記ユニキャスト−マルチキャスト変換装置により前記ＵＤＰマルチキャストに変換して前記端末側ＩＰネットワークに配信する一方、前記表示端末では全てのパケットデータを受信し、視聴したい監視映像のマルチキャストＩＰアドレスに１対１に対応するマルチキャストＭＡＣアドレスによりＭＡＣフィルタリングを行い、所望の監視映像のみを高速に切替・選択し受信することを特徴とする映像監視システム。
【請求項４】
前記ユニキャストネットワークインタフェースと前記マルチキャストネットワークインタフェースを接続する経路を備えて、前記ユニキャストネットワークインタフェースから受信されるパケットデータの内、前記変換テーブルに変換ルールが設定されていないものを、そのまま前記マルチキャストネットワークインタフェースから送信する一方、前記マルチキャストネットワークインタフェースから受信されるパケットデータを、そのまま前記ユニキャストネットワークインタフェースから送信することを特徴とする請求項１、請求項２のいずれかに記載のユニキャスト−マルチキャスト変換装置。
【請求項５】
前記ユニキャスト−マルチキャスト変換装置が、前記ユニキャストネットワークインタフェースと前記マルチキャストネットワークインタフェースを接続する経路を備えて、前記ユニキャストネットワークインタフェースから受信されるパケットデータの内、前記変換テーブルに変換ルールが設定されていないものを、そのまま前記マルチキャストネットワークインタフェースから送信する一方、前記マルチキャストネットワークインタフェースから受信されるパケットデータを、そのまま前記ユニキャストネットワークインタフェースから送信するように構成され、前記監視カメラの制御情報の通信をＩＰネットワーク上で多重できることを特徴とする請求項３に記載の映像監視システム。
【請求項６】
前記ユニキャストネットワークインタフェースと前記マルチキャストネットワークインタフェースを介するデータ転送の要否を判定する転送判定部と、前記転送判定部がデータ転送の要否を判断するための転送キー情報を登録する登録テーブルと、前記登録テーブルに特定の転送キー情報を設定登録する設定部とを備えて、前記ユニキャストネットワークインタフェースと前記マルチキャストネットワークインタフェースとの間での変換不要の前記パケットデータの転送時に、前記転送判定部は前記登録テーブルを参照して、前記転送キー情報を登録されていない前記パケットデータは転送せずに廃棄することを特徴とする請求項４に記載のユニキャスト−マルチキャスト変換装置。
【請求項７】
前記転送キー情報として、送信元ＩＰアドレスを用いることを特徴とする請求項６に記載のユニキャスト−マルチキャスト変換装置。
【請求項８】
前記転送キー情報として、送信先ポート番号を用いることを特徴とする請求項６に記載のユニキャスト−マルチキャスト変換装置。
【請求項９】
前記ユニキャスト−マルチキャスト変換装置が、前記ユニキャストネットワークインタフェースと前記マルチキャストネットワークインタフェースを介するデータ転送の要否を判定する転送判定部と、前記転送判定部がデータ転送の要否を判断するための送信元ＩＰアドレスまたは送信先ポート番号の転送キー情報を登録する登録テーブルと、前記登録テーブルに特定の転送キー情報を設定登録する設定部と、前記ユニキャストネットワークインタフェースと前記マルチキャストネットワークインタフェースを接続する経路とを備えて、前記ユニキャストネットワークインタフェースと前記マルチキャストネットワークインタフェースとの間での変換不要の前記パケットデータの転送時に、前記転送判定部は前記登録テーブルを参照して、前記転送キー情報を登録されていない前記パケットデータは転送せずに廃棄することにより、登録されている端末からの制御情報の通信以外を排除することを特徴とする請求項５に記載の映像監視システム。
【請求項１０】
情報をテーブル内に設定する設定部を備えて、前記設定部と前記ユニキャストネットワークインタフェースおよび前記マルチキャストネットワークインタフェースを接続する経路を有し、受信した前記パケットデータの内、前記設定部を特定するために登録されているＩＰアドレスのパケットデータを前記設定部へ送るとともに、前記設定部からの配信情報を前記ユニキャストネットワークインタフェースおよび前記マルチキャストネットワークインタフェースを介して送信することを特徴とする請求項１、請求項２、請求項４、請求項６、請求項７、請求項８のいずれかに記載のユニキャスト−マルチキャスト変換装置。
【請求項１１】
前記ユニキャスト−マルチキャスト変換装置が、情報をテーブル内に設定する設定部を備えるとともに、前記設定部と前記ユニキャストネットワークインタフェースおよび前記マルチキャストネットワークインタフェースを接続する経路を有して、受信した前記パケットデータの内、前記設定部を特定するために登録されているＩＰアドレスのパケットデータを前記設定部へ送るとともに、前記設定部からの配信情報を前記ユニキャストネットワークインタフェースおよび前記マルチキャストネットワークインタフェースを介して送信するように構成され、前記ユニキャスト−マルチキャスト変換装置の前記設定部による設定を、ＩＰネットワーク上の端末から行えることを特徴とする請求項３、請求項５、請求項９のいずれかに記載の映像監視システム。
【請求項１２】
映像を蓄積する映像蓄積部に接続するための映像蓄積部インタフェースを前記ユニキャストネットワークインタフェースに接続し、前記配信側ＩＰネットワークから受信されるデジタルデータを、前記変換テーブルに設定された前記変換ルールに基づいて前記ＵＤＰマルチキャストに変換して前記端末側ＩＰネットワークに配信するとともに、前記映像蓄積部インタフェースを介して前記映像蓄積部にデジタルデータを出力することを特徴とする請求項１、請求項２、請求項４、請求項６、請求項７、請求項８、請求項１０のいずれかに記載のユニキャスト−マルチキャスト変換装置。
【請求項１３】
前記ユニキャストネットワークインタフェースが、前記配信側ＩＰネットワークに接続して複数の配信元より配信されるデジタルデータをＴＣＰユニキャストによりパケットデータとして受信する機能を備え、前記配信側ＩＰネットワークから前記ＴＣＰユニキャストにより信頼性を向上させたデジタルデータを受信することを特徴とする請求項１、請求項２、請求項４、請求項６、請求項７、請求項８、請求項１０、請求項１２のいずれかに記載のユニキャスト−マルチキャスト変換装置。
【請求項１４】
映像を蓄積する映像蓄積部を備えるとともに、前記ユニキャスト−マルチキャスト変換装置が、前記映像蓄積部に接続するための映像蓄積部インタフェースを前記ユニキャストネットワークインタフェースに接続され、前記配信側ＩＰネットワークから受信されるデジタルデータを、前記変換テーブルに設定された前記変換ルールに基づいて前記ＵＤＰマルチキャストに変換して前記端末側ＩＰネットワークに配信するとともに、前記映像蓄積部インタフェースを介してデジタルデータを出力することにより、前記映像蓄積部に前記監視映像を蓄積することを特徴とする請求項３、請求項５、請求項９、請求項１１のいずれかに記載の映像監視システム。
【請求項１５】
前記ユニキャスト−マルチキャスト変換装置の前記ユニキャストネットワークインタフェースが、前記配信側ＩＰネットワークに接続して複数の配信元より配信されるデジタルデータをＴＣＰユニキャストによりパケットデータとして受信する機能を備え、前記配信側ＩＰネットワークから前記ＴＣＰユニキャストにより信頼性を向上させたデジタルデータを受信することにより、信頼性を向上させた前記監視映像を前記端末側ＩＰネットワークに配信することを特徴とする請求項３、請求項５、請求項９、請求項１１、請求項１４のいずれかに記載の映像監視システム。
【発明の詳細な説明】
【０００１】
【発明の属する技術分野】
本発明は、ユニキャスト−マルチキャスト変換装置および映像監視システムに関し、詳しくは、ＩＰネットワーク間の中継通信時においてネットワークに応じてプロトコルの変換を行う変換装置と、これを用いた映像監視システムに関するものである。
【０００２】
【従来の技術】
近年の通信ネットワークの発達により、ネットワークを介して各種情報をやり取りすることが行われている。
【０００３】
この種のネットワーク間で情報をやり取りするものとしては、例えば、複数の監視カメラと複数の表示端末をＩＰ（Internet Protocol）ネットワークで接続し、その監視カメラにより撮影されている監視映像を遠隔地の表示端末で視聴することを実現するものがあり、同一の監視映像を複数の表示端末で同時に視聴する場合に、各監視カメラからの映像配信をブロードキャストにより行うものがある。
【０００４】
また、別のやり方としては、上記のＩＰネットワークにおいて、ＵＤＰ（User Datagram Protocol）マルチキャストを用いて配信するものがあり、特に、ＵＤＰマルチキャストを用いて映像を配信するものとしては、例えば、図１１に示すように、複数の監視カメラ１０１と複数の画像表示端末１０２とをブロードキャストＩＰネットワーク１０３を介して接続する画像配信システムが特開２００１−６９４８３号公報に提案されている。
【０００５】
また、他の画像配信システムとしては、例えば、図１２に示すように、監視カメラ１０１と、画像符号化装置２０１と、符号化変換装置２０２と、画像配信装置２０３と、ＩＰネットワーク１０３を構成するＩＰルータ２０４と、画像表示装置１０２とで構築されており、監視カメラ１０１で撮影された監視映像を、画像符号化装置２０１で符号化して符号化変換装置１０２で配信可能な帯域のデータに変換した後に、画像配信装置２０３がＵＤＰマルチキャストを用いてＩＰルータ２０４を介して配信することにより、その配信されたデータを画像表示装置１０２で視聴することができる。
【０００６】
【発明が解決しようとする課題】
しかしながら、従来のブロードキャストを用いた映像配信の場合には、監視映像データは、画像表示端末だけでなく、監視カメラへも流れてしまい、監視カメラ側のネットワーク負荷を不必要に高めてしまう、という問題があった。
【０００７】
また、従来のＵＤＰマルチキャストを用いる画像配信システムにおいては、前記の監視カメラ側への不必要なネットワーク負荷は発生しないが、ＩＰネットワークではＩＰルータを用いて監視映像の配信先の制御を行うので、ＩＰルータにおけるＵＤＰマルチキャストのプロトコル制御処理のために、監視映像を切り替える際に大きな遅延が発生する、という問題があった。
【０００８】
本発明は、このような問題を解決するためになされたもので、ＵＤＰマルチキャストで監視映像を配信する映像監視システムを構築する際に、監視カメラ側のＩＰネットワークの負荷を軽減しつつ、高速な監視映像の切替を可能にすることのできるユニキャスト−マルチキャスト変換装置および映像監視システムを提供するものである。
【０００９】
【課題を解決するための手段】
本発明のユニキャスト−マルチキャスト変換装置は、配信側ＩＰネットワークに接続された複数の監視カメラより配信される映像情報をＵＤＰユニキャストによりＵＤＰユニキャストＩＰアドレスと共にパケットデータとして受信するためのユニキャストネットワークインタフェースと、データ変換の要否を決定するための少なくとも送信先ポート番号を含む変換キー情報と前記ＵＤＰユニキャストＩＰアドレスより構成される変換ルールを保持する変換テーブルと、前記変換テーブルを参照して前記ＵＤＰユニキャストＩＰアドレスを含むパケットデータを変換するべきか否かを判定する変換判定部と、前記変換判定部の判定結果に基づき前記ＵＤＰユニキャストＩＰアドレスを含むパケットデータをＵＤＰマルチキャストパケットデータに変換する変換部と、受信端末が接続される端末側ＩＰネットワークに接続して変換された前記ＵＤＰマルチキャストパケットデータをＵＤＰマルチキャストを用いて配信するマルチキャストネットワークインタフェースとを備え、前記配信側ＩＰネットワークから前記ＵＤＰユニキャストにより受信される前記パケットデータを、前記変換テーブルに設定された前記変換ルールに基づいて前記ＵＤＰマルチキャストパケットデータに変換して、前記端末側ＩＰネットワークに配信する構成を有している。
【００１０】
本発明のユニキャスト−マルチキャスト変換装置は、前記変換キー情報として、送信先ポート番号を用いる構成を有しており、この構成により、複数のポート番号ごとに異なるデジタルデータを受信し、複数のマルチキャストアドレスに送信することができる。
【００１１】
本発明のユニキャスト−マルチキャスト変換装置は、上記発明の特定事項に加えて、前記変換キー情報として前記送信先ポート番号および送信元ＩＰアドレスを用いる構成を有しており、この構成により、相手先毎に異なるマルチキャストアドレスに変換して送信することができる。
【００１２】
本発明の映像監視システムは、上記発明の特定事項に加えて、配信側ＩＰネットワークに接続された複数の監視カメラより配信される映像情報をＵＤＰユニキャストによりＵＤＰユニキャストＩＰアドレスと共にパケットデータとして受信するためのユニキャストネットワークインタフェースと、データ変換の要否を決定するための少なくとも送信先ポート番号を含む変換キー情報と前記ＵＤＰユニキャストＩＰアドレスより構成される変換ルールを保持する変換テーブルと、前記変換テーブルを参照して前記ＵＤＰユニキャストＩＰアドレスを含むパケットデータを変換するべきか否かを判定する変換判定部と、前記変換判定部の判定結果に基づき前記ＵＤＰユニキャストＩＰアドレスを含むパケットデータをＵＤＰマルチキャストパケットデータに変換する変換部と、受信端末が接続される端末側ＩＰネットワークに接続して変換された前記ＵＤＰマルチキャストパケットデータをＵＤＰマルチキャストを用いて配信するマルチキャストネットワークインタフェースとを備え、前記配信側ＩＰネットワークから前記ＵＤＰユニキャストにより受信される前記パケットデータを、前記変換テーブルに設定された前記変換ルールに基づいて前記ＵＤＰマルチキャストパケットデータに変換して、前記端末側ＩＰネットワークに配信するユニキャスト−マルチキャスト変換装置を有し、複数の監視カメラをスイッチングハブにより接続したカメラ側ＩＰネットワークを前記ユニキャストネットワークインタフェースに接続するとともに、複数の表示端末をスイッチングハブにより接続した端末側ＩＰネットワークを前記マルチキャストネットワークインタフェースに接続して、前記カメラ側ＩＰネットワークと前記端末側ＩＰネットワークとを前記ユニキャスト−マルチキャスト変換装置により中継接続することによって、前記カメラ側ＩＰネットワークから前記ＵＤＰユニキャストにより受信される監視映像を、前記ユニキャスト−マルチキャスト変換装置により前記ＵＤＰマルチキャストに変換して前記端末側ＩＰネットワークに配信する一方、前記表示端末では全てのパケットデータを受信し、視聴したい監視映像のマルチキャストＩＰアドレスに１対１に対応するマルチキャストＭＡＣアドレスによりＭＡＣフィルタリングを行い、所望の監視映像のみを高速に切替・選択し受信する構成を有している。
【００１３】
本発明のユニキャスト−マルチキャスト変換装置は、上記発明の特定事項に加えて、前記ユニキャストネットワークインタフェースと前記マルチキャストネットワークインタフェースを接続する経路を備えて、前記ユニキャストネットワークインタフェースから受信されるパケットデータの内、前記変換テーブルに変換ルールが設定されていないものを、そのまま前記マルチキャストネットワークインタフェースから送信する一方、前記マルチキャストネットワークインタフェースから受信されるパケットデータを、そのまま前記ユニキャストネットワークインタフェースから送信する構成を有している。
【００１４】
本発明の映像監視システムは、上記発明の特定事項に加えて、前記ユニキャスト−マルチキャスト変換装置が、前記ユニキャストネットワークインタフェースと前記マルチキャストネットワークインタフェースを接続する経路を備えて、前記ユニキャストネットワークインタフェースから受信されるパケットデータの内、前記変換テーブルに変換ルールが設定されていないものを、そのまま前記マルチキャストネットワークインタフェースから送信する一方、前記マルチキャストネットワークインタフェースから受信されるパケットデータを、そのまま前記ユニキャストネットワークインタフェースから送信するように構成され、前記監視カメラの制御情報の通信をＩＰネットワーク上で多重できる構成を有している。
【００１５】
本発明のユニキャスト−マルチキャスト変換装置は、上記発明の特定事項に加えて、前記ユニキャストネットワークインタフェースと前記マルチキャストネットワークインタフェースを介するデータ転送の要否を判定する転送判定部と、前記転送判定部がデータ転送の要否を判断するための転送キー情報を登録する登録テーブルと、前記登録テーブルに特定の転送キー情報を設定登録する設定部とを備えて、前記ユニキャストネットワークインタフェースと前記マルチキャストネットワークインタフェースとの間での変換不要の前記パケットデータの転送時に、前記転送判定部は前記登録テーブルを参照して、前記転送キー情報を登録されていない前記パケットデータは転送せずに廃棄する構成を有している。
【００１６】
本発明のユニキャスト−マルチキャスト変換装置は、上記発明の特定事項に加えて、前記転送キー情報として、送信元ＩＰアドレスを用いる構成を有しており、この構成により、登録された送信元以外からのパケットデータを転送せずに廃棄することができる。
【００１７】
本発明のユニキャスト−マルチキャスト変換装置は、上記発明の特定事項に加えて、前記転送キー情報として、送信先ポート番号を用いる構成を有しており、この構成により、登録されたポート以外へのパケットデータを転送せずに廃棄することができる。
【００１８】
本発明の映像監視システムは、上記発明の特定事項に加えて、前記ユニキャスト−マルチキャスト変換装置が、前記ユニキャストネットワークインタフェースと前記マルチキャストネットワークインタフェースを介するデータ転送の要否を判定する転送判定部と、前記転送判定部がデータ転送の要否を判断するための送信元ＩＰアドレスまたは送信先ポート番号の転送キー情報を登録する登録テーブルと、前記登録テーブルに特定の転送キー情報を設定登録する設定部と、前記ユニキャストネットワークインタフェースと前記マルチキャストネットワークインタフェースを接続する経路とを備えて、前記ユニキャストネットワークインタフェースと前記マルチキャストネットワークインタフェースとの間での変換不要の前記パケットデータの転送時に、前記転送判定部は前記登録テーブルを参照して、前記転送キー情報を登録されていない前記パケットデータは転送せずに廃棄することにより、登録されている端末からの制御情報の通信以外を排除する構成を有している。
【００１９】
本発明のユニキャスト−マルチキャスト変換装置は、上記発明の特定事項に加えて、情報をテーブル内に設定する設定部を備えて、前記設定部と前記ユニキャストネットワークインタフェースおよび前記マルチキャストネットワークインタフェースを接続する経路を有し、受信した前記パケットデータの内、前記設定部を特定するために登録されているＩＰアドレスのパケットデータを前記設定部へ送るとともに、前記設定部からの配信情報を前記ユニキャストネットワークインタフェースおよび前記マルチキャストネットワークインタフェースを介して送信する構成を有している。
【００２０】
本発明の映像監視システムは、上記発明の特定事項に加えて、前記ユニキャスト−マルチキャスト変換装置が、情報をテーブル内に設定する設定部を備えるとともに、前記設定部と前記ユニキャストネットワークインタフェースおよび前記マルチキャストネットワークインタフェースを接続する経路を有して、受信した前記パケットデータの内、前記設定部を特定するために登録されているＩＰアドレスのパケットデータを前記設定部へ送るとともに、前記設定部からの配信情報を前記ユニキャストネットワークインタフェースおよび前記マルチキャストネットワークインタフェースを介して送信するように構成され、前記ユニキャスト−マルチキャスト変換装置の前記設定部による設定を、ＩＰネットワーク上の端末から行える構成を有している。
【００２１】
本発明のユニキャスト−マルチキャスト変換装置は、上記発明の特定事項に加えて、映像を蓄積する映像蓄積部に接続するための映像蓄積部インタフェースを前記ユニキャストネットワークインタフェースに接続し、前記配信側ＩＰネットワークから受信されるデジタルデータを、前記変換テーブルに設定された前記変換ルールに基づいて前記ＵＤＰマルチキャストに変換して前記端末側ＩＰネットワークに配信するとともに、前記映像蓄積部インタフェースを介して前記映像蓄積部にデジタルデータを出力する構成を有している。
【００２２】
本発明のユニキャスト−マルチキャスト変換装置は、上記発明の特定事項に加えて、前記ユニキャストネットワークインタフェースが、前記配信側ＩＰネットワークに接続して複数の配信元より配信されるデジタルデータをＴＣＰ（Transmission Control Protocol）ユニキャストによりパケットデータとして受信する機能を備え、前記配信側ＩＰネットワークから前記ＴＣＰユニキャストにより信頼性を向上させたデジタルデータを受信する構成を有している。
【００２３】
本発明の映像監視システムは、上記発明の特定事項に加えて、映像を蓄積する映像蓄積部を備えるとともに、前記ユニキャスト−マルチキャスト変換装置が、前記映像蓄積部に接続するための映像蓄積部インタフェースを前記ユニキャストネットワークインタフェースに接続され、前記配信側ＩＰネットワークから受信されるデジタルデータを、前記変換テーブルに設定された前記変換ルールに基づいて前記ＵＤＰマルチキャストに変換して前記端末側ＩＰネットワークに配信するとともに、前記映像蓄積部インタフェースを介してデジタルデータを出力することにより、前記映像蓄積部に前記監視映像を蓄積する構成を有している。
【００２４】
本発明の映像監視システムは、上記発明の特定事項に加えて、前記ユニキャスト−マルチキャスト変換装置の前記ユニキャストネットワークインタフェースが、前記配信側ＩＰネットワークに接続して複数の配信元より配信されるデジタルデータをＴＣＰユニキャストによりパケットデータとして受信する機能を備え、前記配信側ＩＰネットワークから前記ＴＣＰユニキャストにより信頼性を向上させたデジタルデータを受信することにより、信頼性を向上させた前記監視映像を前記端末側ＩＰネットワークに配信する構成を有している。
【００２５】
【発明の実施の形態】
以下、本発明を図面に基づいて説明する。図１および図２は本発明のユニキャスト−マルチキャスト変換装置を適用した映像監視システムの第１の実施の形態を示す図である。
【００２６】
まず、ユニキャスト−マルチキャスト変換装置の構成を説明する。図１において、ユニキャスト−マルチキャスト変換装置１０は、ユニキャストネットワークインタフェース１１と、パケットバッファ１２と、変換判定部１３と、変換部１４と、マルチキャストネットワークインタフェース１５と、変換テーブル１６と、設定部１７と、コンソール１８とがデータのやり取りを可能に接続されて構成されている。
【００２７】
ユニキャストネットワークインタフェース１１は、監視カメラが接続されるカメラ側ＩＰネットワークに接続して監視映像を受信する。パケットバッファ１２は、ユニキャストネットワークインタフェース１１に接続されて、受信したパケットデータを一時的に格納する。変換判定部１３は、ユニキャストネットワークインタフェース１１とパケットバッファ１２とに接続されて、ユニキャスト−マルチキャスト変換を行うか否かを判定する。変換部１４は、パケットバッファ１２と変換判定部１３に接続されて、ユニキャスト−マルチキャスト変換を行う。マルチキャストネットワークインタフェース１５は、変換部１４に接続されて、変換後の監視映像を、表示端末が接続される端末側ＩＰネットワークに接続してＵＤＰマルチキャストにて配信する。
【００２８】
変換テーブル１６は、変換判定部１３と変換部１４に接続されるとともに、設定部１７に接続されており、データ変換の要否を判定するための変換キー情報としてＩＰアドレスとポート番号を、また、そのデータ変換の変換ルールを設定保持して変換判定部１３と変換部１４に参照される一方、接続されているコンソール１８からの操作に従って設定部１７から設定内容を変更される。
【００２９】
次に、映像監視システムの構成を説明する。図２において、映像監視システム２０は、監視カメラ２１と、カメラ側ＩＰネットワーク２２と、上記のユニキャスト−マルチキャスト変換装置１０と、端末側ＩＰネットワーク２３と、表示端末２４とがデータのやり取りを可能に接続されて構成されている。
【００３０】
カメラ側ＩＰネットワーク２２は、監視カメラ２１がスイッチングハブにより接続されるとともに、ユニキャスト−マルチキャスト変換装置１０のユニキャストネットワークインタフェース１１に接続される一方、端末側ＩＰネットワーク２３は、表示端末２４がスイッチングハブにより接続されるとともに、ユニキャスト−マルチキャスト変換装置１０のマルチキャストネットワークインタフェース１５に接続される。
【００３１】
次に、以上のように構成されたユニキャスト−マルチキャスト変換装置１０と映像監視システム２０について、その動作を説明する。
【００３２】
まず、ユニキャスト−マルチキャスト変換装置１０は、コンソール１８からの操作に従って設定部１７が、変換すべきＵＤＰマルチキャストのＩＰアドレスとポート番号を得て、受信したＵＤＰユニキャストのＩＰアドレスとポート番号のパケットデータの変換ルールを変換テーブル１６に設定する。
【００３３】
この後に、映像監視システム２０の監視カメラ２１による監視映像は、カメラ側ＩＰネットワーク２２内をＵＤＰユニキャストを用いて、ユニキャスト−マルチキャスト変換装置１０まで集められる。
【００３４】
そのユニキャスト−マルチキャスト変換装置１０では、ユニキャストネットワークインタフェース１１から受信された監視映像のパケットデータが、パケットバッファ１２に格納されるとともに、変換判定部１３から変換テーブル１６に保持されている変換ルールが参照されて、変換するＵＤＰマルチキャストのＩＰアドレスとポート番号が得られる。
【００３５】
そして、変換部１４は、変換テーブル１６内に保持されているＩＰアドレスとポート番号のＵＤＰマルチキャストである場合に、パケットバッファ１２からパケットデータを読み出しつつ、前記の得られたＩＰアドレスとポート番号でパケットのヘッダ部分の情報を書き換えてＵＤＰマルチキャストのパケットデータに変換して、マルチキャストネットワークインタフェース１５に送ることにより、受け取ったパケットデータを端末側ＩＰネットワーク２３を介して配信させる。
【００３６】
これにより、変換されたパケットデータが、端末側ＩＰネットワーク２３により全部の表示端末２４に配信され、各表示端末２４は、視聴したい監視映像のマルチキャストＩＰアドレスに１対１に対応するマルチキャストＭＡＣアドレスによりＭＡＣフィルタリングを行って、必要な監視映像のみを高速に切替・選択し受信することができる。
【００３７】
このように本実施の形態においては、ユニキャスト−マルチキャスト変換装置１０が、カメラ側のネットワーク２２の負荷を低減できるＵＤＰユニキャストを用いて監視映像を集めることができ、かつ、端末側ＩＰネットワーク２３を介して配信に適したＵＤＰマルチキャストを用いて監視映像を配信することができる。
【００３８】
そして、映像監視システム２０の各表示端末２４では、配信に適したＵＤＰマルチキャストを用いて高速に監視映像を切り替えて視聴することができる。
【００３９】
次に、図３および図４は本発明のユニキャスト−マルチキャスト変換装置を適用した映像監視システムの第２の実施の形態を示す図である。なお、本実施の形態は、上述した実施の形態と略同様に構成されているので、同様な構成には同一の符号を付して特徴部分を説明する（以下で説明する他の実施の形態においても同様）。
【００４０】
まず、ユニキャスト−マルチキャスト変換装置の構成を説明する。図３において、ユニキャスト−マルチキャスト変換装置３０は、ユニキャストネットワークインタフェース１１と、パケットバッファ１２と、変換判定部１３と、変換部１４と、マルチキャストネットワークインタフェース１５と、変換テーブル１６と、設定部１７と、コンソール１８とがデータのやり取りを可能に接続されているとともに、経路３１によりユニキャストネットワークインタフェース１１とマルチキャストネットワークインタフェース１５とが直接データのやり取りをすることができるように接続されて構成されている。
【００４１】
次に、映像監視システムの構成を説明する。図４において、映像監視システム３５は、監視カメラ２１と、カメラ側ＩＰネットワーク２２と、上記のユニキャスト−マルチキャスト変換装置３０と、端末側ＩＰネットワーク２３と、表示端末２４とがデータのやり取りを可能に接続されて構成されている。
【００４２】
次に、以上のように構成されたユニキャスト−マルチキャスト変換装置３０と映像監視システム３５について、その動作を説明する。
【００４３】
映像監視システム３５において、ユニキャスト−マルチキャスト変換装置３０が、ユニキャストネットワークインタフェース１１から受信されるパケットデータの内、変換すべきＵＤＰマルチキャストとしてＩＰアドレスとポート番号や変換ルールが変換テーブル１６に設定されていないパケットデータは、そのままマルチキャストネットワークインタフェース１５から送信する一方、マルチキャストネットワークインタフェース１５から受信されるパケットデータも、そのままユニキャストネットワークインタフェース１１から送信することによって、監視カメラの監視映像と監視映像以外の制御情報を同一のＩＰネットワーク上に多重して通信する。
【００４４】
このように本実施の形態においては、上述実施の形態による作用効果に加えて、監視カメラの制御情報等の監視映像以外の制御情報を同一のＩＰネットワーク上に多重して通信することができ、このため、システム全体のコストを低減できる。
【００４５】
次に、図５および図６は本発明のユニキャスト−マルチキャスト変換装置を適用した映像監視システムの第３の実施の形態を示す図である。
【００４６】
まず、ユニキャスト−マルチキャスト変換装置の構成を説明する。図５において、ユニキャスト−マルチキャスト変換装置４０は、ユニキャストネットワークインタフェース１１と、パケットバッファ１２と、変換判定部１３と、変換部１４と、マルチキャストネットワークインタフェース１５と、変換テーブル１６と、設定部１７と、コンソール１８とがデータのやり取りを可能に接続されているとともに、ユニキャストネットワークインタフェース１１とマルチキャストネットワークインタフェース１５とが転送判定部４１を介して接続され、その転送判定部４１には登録テーブル４２が変換テーブル１６と同様に設定部１７に接続されて構成されている。
【００４７】
転送判定部４１は、登録テーブル４２を参照してデータ転送の要否を判定し、登録テーブル４２は、データ転送の要否を判定するための転送キー情報としてＩＰアドレス（ポート番号としてもよい）を、コンソール１８からの操作に従って設定部１７から変更可能に設定登録する。
【００４８】
次に、映像監視システムの構成を説明する。図６において、映像監視システム４５は、監視カメラ２１と、カメラ側ＩＰネットワーク２２と、上記のユニキャスト−マルチキャスト変換装置４０と、端末側ＩＰネットワーク２３と、表示端末２４とがデータのやり取りを可能に接続されて構成されている。
【００４９】
次に、以上のように構成されたユニキャスト−マルチキャスト変換装置４０と映像監視システム４５について、その動作を説明する。
【００５０】
映像監視システム４５において、ユニキャスト−マルチキャスト変換装置４０が、コンソール１８からの操作に従って設定部１７が、監視映像以外の制御情報のパケットデータの内、ユニキャストネットワークインタフェース１１とマルチキャストネットワークインタフェース１５の間の転送を許可して良いＩＰアドレスを得て、登録テーブル４２に登録する。
【００５１】
そして、転送判定部４１は、ユニキャストネットワークインタフェース１１とマルチキャストネットワークインタフェース１５とを介するパケットデータ（監視カメラの制御情報等の監視映像以外の制御情報）の転送時に、登録テーブル４２に登録保持されているＩＰアドレスを参照して、転送対象のパケットデータのＩＰアドレスと一致しないものは廃棄する。
【００５２】
このように本実施の形態においては、上述実施の形態による作用効果に加えて、ＩＰアドレスが登録されていない端末からの制御情報を排除することができ、監視カメラ２１の制御情報等の監視映像以外の制御情報を中継転送する際に、登録しているパケットデータだけに限定することで違法なアドレスのデータを転送してしまうことを回避して、システム全体の安全性を向上させることができる。
【００５３】
次に、図７および図８は本発明のユニキャスト−マルチキャスト変換装置を適用した映像監視システムの第４の実施の形態を示す図である。
【００５４】
まず、ユニキャスト−マルチキャスト変換装置の構成を説明する。図７において、ユニキャスト−マルチキャスト変換装置５０は、ユニキャストネットワークインタフェース１１と、パケットバッファ１２と、変換判定部１３と、変換部１４と、マルチキャストネットワークインタフェース１５と、変換テーブル１６と、設定部１７と、コンソール１８とがデータのやり取りを可能に接続されているとともに、経路５１によりユニキャストネットワークインタフェース１１と設定部１７とが、経路５２によりマルチキャストネットワークインタフェース１５と設定部１７とが直接データのやり取りをすることができるように接続されて構成されている。
【００５５】
次に、映像監視システムの構成を説明する。図８において、映像監視システム５５は、監視カメラ２１と、カメラ側ＩＰネットワーク２２と、上記のユニキャスト−マルチキャスト変換装置５０と、端末側ＩＰネットワーク２３と、表示端末２４とがデータのやり取りを可能に接続されて構成されている。
【００５６】
次に、以上のように構成されたユニキャスト−マルチキャスト変換装置５０と映像監視システム５５について、その動作を説明する。
【００５７】
映像監視システム５５において、ユニキャスト−マルチキャスト変換装置５０が、受信したパケットデータの内、設定部１７を特定するために登録されているＩＰアドレスのパケットデータを設定部１７へ送るとともに、設定部１７からの配信情報をユニキャストネットワークインタフェース１１およびマルチキャストネットワークインタフェース１５から送信することによって、設定部１７は、変換テーブル１６内の設定内容を受信データにより変更することができる一方、外部からその設定内容を受け取ることができる。
【００５８】
このように本実施の形態においては、上述実施の形態による作用効果に加えて、表示端末等のＩＰネットワーク上の端末からの遠隔操作により変換ルールなどを設定することができ、装置の操作性やシステムの利便性が向上する。
【００５９】
なお、本実施の形態を第３の実施の形態に適用することができることは言うまでもない。
【００６０】
次に、図９および図１０は本発明のユニキャスト−マルチキャスト変換装置を適用した映像監視システムの第５の実施の形態を示す図である。
【００６１】
まず、ユニキャスト−マルチキャスト変換装置の構成を説明する。図９において、ユニキャスト−マルチキャスト変換装置６０は、パケットバッファ１２と、変換判定部１３と、変換部１４と、マルチキャストネットワークインタフェース１５と、変換テーブル１６と、設定部１７と、コンソール１８とがデータのやり取りを可能に接続されており、このユニキャスト−マルチキャスト変換装置６０は、上述実施の形態において監視映像をＵＤＰユニキャストにより受信するユニキャストネットワークインタフェース１１に代えて、監視映像をＴＣＰユニキャストにより受信するユニキャストネットワークインタフェース６１を配置するとともに、このユニキャストネットワークインタフェース６１には、映像データを送信可能に映像蓄積部インタフェース６２が接続されて構成されている。
【００６２】
次に、映像監視システムの構成を説明する。図１０において、映像監視システム６５は、監視カメラ２１と、カメラ側ＩＰネットワーク２２と、上記のユニキャスト−マルチキャスト変換装置６０と、端末側ＩＰネットワーク２３と、表示端末２４とがデータのやり取りを可能に接続されているとともに、ユニキャスト−マルチキャスト変換装置６０の映像蓄積部インタフェース６２には、映像データを蓄積する映像蓄積部６６が接続されて構成されている。
【００６３】
次に、以上のように構成されたユニキャスト−マルチキャスト変換装置６０と映像監視システム６５について、その動作を説明する。
【００６４】
映像監視システム６５において、ユニキャスト−マルチキャスト変換装置６０が、カメラ側ＩＰネットワーク２２からＴＣＰユニキャストにより送信されてくる監視映像のパケットデータを受信して、変換テーブル１６に設定された変換ルールに基づいてＵＤＰマルチキャストのパケットデータに変換し、端末側ＩＰネットワーク２３を介して表示端末２４に配信することができるとともに、映像蓄積部インタフェース６２に出力することによりその監視映像を映像蓄積部６６に蓄積することができる。
【００６５】
このように本実施の形態においては、上述実施の形態による作用効果に加えて、ＴＣＰユニキャストにより信頼性を向上させた監視映像を集めることができ、映像蓄積に適した監視映像データを得ることができるとともに、監視映像を蓄積保持しておくことができる。
【００６６】
【発明の効果】
以上説明したように、本発明に係るユニキャスト−マルチキャスト変換装置を映像監視システムに設けることにより、監視カメラ側のＩＰネットワークの負荷を軽減しつつ、端末側のＩＰネットワークにおける配信に適したＵＤＰマルチキャストで監視映像を配信を行うことができ、さらに、表示端末では、高速な監視映像の切替を実現することができる。
【図面の簡単な説明】
【図１】本発明の第１の実施の形態のユニキャスト−マルチキャスト変換装置を示すブロック図
【図２】本発明の第１の実施の形態の映像監視システムを示すブロック図
【図３】本発明の第２の実施の形態のユニキャスト−マルチキャスト変換装置を示すブロック図
【図４】本発明の第２の実施の形態の映像監視システムを示すブロック図
【図５】本発明の第３の実施の形態のユニキャスト−マルチキャスト変換装置を示すブロック図
【図６】本発明の第３の実施の形態の映像監視システムを示すブロック図
【図７】本発明の第４の実施の形態のユニキャスト−マルチキャスト変換装置を示すブロック図
【図８】本発明の第４の実施の形態の映像監視システムを示すブロック図
【図９】本発明の第５の実施の形態のユニキャスト−マルチキャスト変換装置を示すブロック図
【図１０】本発明の第５の実施の形態の映像監視システムを示すブロック図
【図１１】従来技術の映像監視システムを示すブロック図
【図１２】従来技術のユニキャスト−マルチキャスト変換装置を示すブロック図
【符号の説明】
１０、３０、４０、５０、６０ ユニキャスト−マルチキャスト変換装置
１１ ユニキャストネットワークインタフェース
１２ パケットバッファ
１３ 変換判定部
１４ 変換部
１５ マルチキャストネットワークインタフェース
１６ 変換テーブル
１７ 設定部
１８ コンソール
２０、３５、４５、５５、６５ 映像監視システム
２１ 監視カメラ
２２ カメラ側ＩＰネットワーク
２３ 端末側ＩＰネットワーク
２４ 表示端末
３１、５１、５２ 経路
４１ 転送判定部
４２ 登録テーブル
６１ ユニキャストネットワークインタフェース
６２ 映像蓄積部インタフェース
６６ 映像蓄積部
【図１】
0003998983.tif 000002
【図２】
0003998983.tif 000003
【図３】
0003998983.tif 000004
【図４】
0003998983.tif 000005
【図５】
0003998983.tif 000006
【図６】
0003998983.tif 000007
【図７】
0003998983.tif 000008
【図８】
0003998983.tif 000009
【図９】
0003998983.tif 000010
【図１０】
0003998983.tif 000011
【図１１】
0003998983.tif 000012
【図１２】
0003998983.tif 000013